(57)【要約】      （修正有）【課題】木造の外張り断熱構造建物に於いて、高断熱で、表面結露も内部結露も抑制出来る外張り断熱透湿外壁構造を提供する。【解決手段】外壁躯体ＳＷには、内表面に内装材６を張着し、内装材６の内側裏面に内側断熱層５を当接配置し、外壁躯体ＳＷの外面には構造用面材４を張設して、内側断熱層５と構造用面材４との間に密閉空気層ａを形成し、構造用面材４の外面全面に透湿防水シート３を貼着して透湿防水シート３の外面に外側断熱層２を張設し、外側断熱層２の外面に透湿性外装材１を塗布し、室内Ｒの湿気が外壁構造を透過して外装材１から屋外に放湿可能とする。【選択図】図１
0003166115.tif 000002
【実用新案登録請求の範囲】
【請求項１】
木造建物の外壁躯体（ＳＷ）に外側断熱層（２）を外張りし、外側断熱層（２）の外面を塗装壁仕上げした外張り断熱透湿外壁構造であって、外壁躯体（ＳＷ）には、内表面に内装材（６）を張設し、内装材（６）の内側裏面に内側断熱層（５）を当接配置し、外壁躯体（ＳＷ）の外面には構造用面材（４）を張設して内側断熱層（５）と構造用面材（４）との間に密閉空気層（ａ）を形成し、構造用面材（４）の外面全面に透湿防水シート（３）を貼着して透湿防水シート（３）の外面に外側断熱層（２）を張設し、外側断熱層（２）の外面に透湿性外装材（１）を塗布し、室内（Ｒ）の湿気が外壁構造を透過して外装材（１）から屋外に放湿する、外張り断熱透湿外壁構造。
【請求項２】
内側断熱層（５）は、マット状に成形加工した無機質繊維系断熱材を、透湿抵抗が大で四周に取付用突出部（５Ｅ）を備えた後面フィルム（５Ｂ）と、透湿抵抗が小の、前面フィルム（５Ｆ）及び側面フィルム（５Ｓ）とで被覆し、密閉空気層（ａ）は、上下左右を、外壁躯体（ＳＷ）の、桁（７Ｅ）、土台（７Ｃ）、柱（７Ａ）、間柱（７Ｂ）等の構造材で閉止し、後面は内側断熱層（５）の前面フィルム（５Ｆ）で、前面は構造用面材（４）の後面で密閉している、請求項１に記載の外壁構造。
【請求項３】
内側断熱層（５）は、外壁躯体（ＳＷ）の土台（７Ｃ）及び桁（７Ｅ）上に延出した床用合板（６Ｃ）で下端面を支承し、上側及び両側突出部（５Ｅ）は、柱（７Ａ）、間柱（７Ｂ）、桁（７Ｅ）の内表面に空密止着し、後面フィルム（５Ｂ）の下側突出部（５Ｅ）は、床用合板（６Ｃ）上で後方へ延出して床材（６Ｂ）で挟着空密固定した、請求項２に記載の外壁構造。
【請求項４】
構造用面材（４）は、初期剛性及び最大荷重が大で、不燃性で、気密性及び遮音性に優れた硅酸カルシウム板であり、透湿防水シート（３）を、硅酸カルシウム板の構造用面材（４）の接続部を含む外面全体に張設した、請求項１乃至３のいずれか１項に記載の外壁構造。
【請求項５】
外側断熱層（２）は、発泡プラスチック系断熱板であり、外側断熱層（２）の外表面には、水性アクリル系のポリマー樹脂モルタルのベースコート（１ｂ）を塗布し、グラスファイバー製のメッシュ（１ｃ）を配置して、メッシュ（１ｃ）の外側に再度ベースコート（１ｂ）を塗布し、ベースコート（１ｂ）の表面に撥水製のフィニッシュコート（１ａ）を塗布して透湿性外装材（１）を形成した、請求項１乃至４のいずれか１項に記載の外壁構造。
【考案の詳細な説明】
【技術分野】
【０００１】
本考案は、木造建物を外側断熱材で外張りした外張り断熱壁構造に関するものであり、より詳しくは、断熱層を内蔵した外壁躯体の外側に外側断熱層を配置し、外側断熱層の外面に塗り壁仕上げを施工し、室内水蒸気を外壁面から屋外に透過放出する外張り断熱透湿外壁構造に関するものである。
【背景技術】
【０００２】
木造建物に於いて、外壁躯体内に断熱層を内蔵し、外壁躯体の外側に外側断熱材を外張りする工法は各種提案されており、典型的には図５に示す従来例１、及び図６に示す従来例２が公知である。
従来例１の図５は、特許文献１の説明図であって、図５（Ａ）は外壁構造の横断面図、図５（Ｂ）は外壁構造の一部切欠斜視図である。
【０００３】
即ち、従来例１（図５）は、柱、間柱などの外壁躯体に構造用面材の無垢材を張着し、構造用面材の内面、即ち外壁躯体内に繊維系断熱材（ロックウール）を充填し、構造用面材の外面には、自然素材の木質繊維断熱材を張着し、更に外側断熱材の外側に、直接外装材を配置して高断熱の外壁とするものであり、外側の木質繊維断熱材は透湿性が良く、無垢材の構造用面材の透湿性と相俟って、建物内の水蒸気を、外壁を透過して屋外に排出し、壁結露を阻止するものである。
そして、木質繊維断熱材は、直接外装材の配置が可能で、下地材排除のコストダウンが出来、外壁全体の軽量化を可能としたものである。
【０００４】
また、従来例２（図６）は非特許文献１の説明図であって、図６（Ａ）は外壁の横断面図、図６（Ｂ）は外壁の一部切欠斜視図である。
即ち、従来例２（図６）は、柱、間柱などの外壁躯体に構造用面材を介して板状断熱材を張着し、更に、板状断熱材の外側に、上下方向の通気胴縁を配置して、通気胴縁外面に外装材を張着し、木造建物を外断熱被覆すると共に、断熱材と外装材との間隔を通気層とするものであり、外壁躯体内には従来例１（図５）同様、繊維系断熱材（ロックウール）を構造用面材内面に当接配置するもので、外側断熱材及び内側断熱材の熱抵抗比によって壁内結露を阻止するものであり、高断熱化壁体を提案するものである。
【先行技術文献】
【特許文献】
【０００５】
【特許文献１】特開２００１−１２０７９９号公報
【非特許文献】
【０００６】
【非特許文献１】北海道立北方建築総合研究所、調査研究報告ＮＯ．２２８号、９頁図６−６
【考案の概要】
【考案が解決しようとする課題】
【０００７】
従来例１（図５）、即ち特許文献１に開示された外張断熱工法は、外壁躯体の外側に構造用面材として張設する無垢材は、外壁構成部材の中で透湿抵抗が大きく、経年によって腐朽すると共に、当接するロックウールが水を含んで断熱性能が低下する怖れがあり、また、無垢材は小幅なので外壁躯体への張着の作業性が悪く、且つ高価である。
【０００８】
そして、構造用面材（無垢材）の外側に張着する木質繊維断熱材は、断熱性能（熱伝導率：０．０３３kcal／ｍｈ℃）に優れているが、水蒸気を大量に蓄えるので、構造用面材（無垢材）や固定釘の腐朽、腐蝕の問題が経年で発生し、柔軟性も高いので、外装材の木質繊維断熱材への直接仕上げは煩雑であり、耐衝撃性の問題もある。
また、外壁構造は、外壁躯体、構造用面材（無垢材）、木質繊維断熱材と、木材が主となっているため、防火上の問題があり、木造軸組の水平耐力の強さの度合いを示す壁倍率は、構造用面材（無垢材）及び内装材（石膏ボード）によるもので、壁耐力が不足する怖れがあって、解決手段としての筋違いの配置が煩雑である。
【０００９】
非特許文献１に開示された外張断熱工法は、図６に示す如く、外壁躯体の外側に構造用面材（構造用合板）を張着し、構造用面材の外側にプラスチック樹脂製の板状断熱材を張着し、構造用面材の内側に繊維系断熱材を配置し、外側の板状断熱材の外側に、更に通気胴縁を配置して、通気胴縁を固定釘によって断熱材及び構造用面材を貫通して柱、間柱に全て固定し、外装材を通気胴縁に、外装材固定釘によって固定するため、所望断熱機能を備えた通気外壁の構築は、工数が多く、煩雑な作業である。
しかも、長期耐用中に、釘がクリープ変形し、外装下地材（通気胴縁）が垂れ下りを生じ、外装材にひび割れ、剥離、変形を生じ、外壁の損傷を生ずる。
【００１０】
また、タイル等の、自重の大な仕上材を外装材上に配置する場合は、外装材の垂れ下りを防止するために、断熱材と同厚の横桟を適宜間隔で断熱材内に配置するか、或いは、断熱材厚＋通気層厚の厚手通気胴縁を採用して、通気胴縁を柱に釘固定する必要があり、断熱材中への、横桟の配置、或いは、厚手通気胴縁の配置、及び固定作業は、熟練を要し、工数も多く、外張断熱壁の施工性が悪い。
しかも、プラスチック系断熱材は、紫外線で表面劣化するため、断熱材の表面を透湿性防水シート等で被覆して、紫外線劣化を抑制することも必要となる。
【００１１】
本考案は、これら従来の、典型的な木造外張り断熱工法の問題点を解決、又は改善する新規な木造建物の外張断熱工法を提供するものであって、軽量で、断熱機能及び結露防止機能に優れ、防火性、耐震性の付与が容易であり、しかも、従来の木造外張断熱工法よりも、遥かに構築が容易で、高性能な、外張り断熱透湿外壁構造を提供するものである。
【課題を解決するための手段】
【００１２】
本考案は、例えば図１（Ａ）に示す如く、木造建物の外壁躯体ＳＷに外側断熱層２を外張りし、外側断熱層２の外面を塗装壁仕上げした外張り断熱透湿外壁構造であって、外壁躯体ＳＷには、内表面に内装材６を張設し、内装材６の内側裏面に内側断熱層５を当接配置し、外壁躯体ＳＷの外面には構造用面材４を張設して内側断熱層５と構造用面材４との間に密閉空気層ａを形成し、構造用面材４の外面全面に透湿防水シート３を貼着して透湿防水シート３の外面に外側断熱層２を張設し、外側断熱層２の外面に透湿性外装材１を塗布し、室内Ｒの湿気が外壁構造を透過して外装材１から屋外に放湿する外張り断熱透湿外壁構造である。
【００１３】
この場合、外壁躯体ＳＷは、慣用の工法で構築すれば良く、典型的には、図３（Ａ）の如く、一辺が１０５mmの断面正方形の柱７Ａを、土台７Ｃ及び桁７Ｅ間に間隔Ｌ２（標準：１８２０mm）で配置し、柱７Ａ間に、中心間寸法Ｌ１（標準：４５５mm）で、幅４５mm、奥行き１０５mmの断面矩形の間柱７Ｂを３本立設し、柱７Ａ間には、幅９０mm、厚さ４５mmの断面矩形の筋違い７Ｓを配置したものである。
そして、外壁躯体ＳＷの内表面に張設する内装材６は、慣用の１２．５mm厚の石膏ボードを採用すれば良い。
【００１４】
また、外壁躯体ＳＷ内に配置する内側断熱層５は、内装材６から侵入する湿気（水蒸気）を密閉空気層ａ内へ透過する断熱材であって、内装材の内側に当接配置出来、且つ密閉空気層ａの空間が維持出来れば良く、慣用の、外壁躯体ＳＷ内に自立する保形性を備えた板形状材のロックウール、グラスウール等の、ＪＩＳＡ９５２１及びＪＩＳＡ９５２２の無機質繊維系断熱材を、プラスチックフィルムの被覆で、透湿抵抗が内装材６より小、且つ構造用面材４より大に、透湿係数を調整して採用すれば良く、典型的には、厚さ５５mm、熱伝導率０．０３３kcal／ｍｈ℃以下の、ＪＩＳＡ９５２１のマット状ロックウールをポリスチレンフィルムで透湿係数を調整した、慣用の、ニチアス（株）製のホームマット（商品名）である。
【００１５】
また、密閉空気層ａは、外壁躯体ＳＷの構築によって、上下方向は土台７Ｃ及び桁７Ｅで密閉し、左右方向は柱７Ａと間柱７Ｂで密閉しておけば、前後面は、構造用面材４及び内側断熱層５で密閉形態と出来る。
また、外壁躯体ＳＷの外側に当接配置する構造用面材４は、外側躯体ＳＷへの、地震力、風圧力による水平力に抵抗出来る板状材であって、内側断熱層５からの湿気を屋外側へ透過出来るものであれば良く、硅酸カルシウム板、構造用合板、構造用パネル等の薄剛板の使用が可能である。
【００１６】
また、外側断熱層２は、断熱層２より透湿性の大な外装材１が外表面に配置出来、且つ構造用面材４からの透過湿気を屋外側へ透過出来るものであれば良く、マット状のロックウール補強板や、ビーズ法ポリスチレンフォーム、押出法ポリスチレンフォーム、硬質ウレタンフォーム等の、ＪＩＳＡ９５１１の発泡プラスチック系断熱板を採用すれば良く、典型的には、厚さ４０mm、熱伝導率０．０３７kcal／ｍｈ℃以下、透湿係数０．１４ｇ／ｍ２ｈmmＨｇ／ｇ以下のＪＩＳＡ９５１１のビーズ法ポリスチレンフォーム板である。
【００１７】
従って、本考案の外張り断熱透湿外壁構造にあっては、室内側より屋外に向かって、透湿抵抗が順次低下する形態に外壁構成材を配置したため、冬季にあっては、室内側の湿気（水蒸気）は、内装材６→内側断熱層５→密閉空気層ａ→構造用面材４→透湿防水シート３→外側断熱層２→外装材１→屋外、の経路で放湿し、夏季にあっては、屋外側から室内側へ、透湿抵抗が順次増大する外壁構造であるため、水蒸気圧の、大きな屋外から小さな室内への湿気の侵入を阻止し、冬季でも夏季でも、外壁の表面結露、内部結露を抑制して、ダニ、カビの発生システム内衛生的な外壁構造を提供する。
【００１８】
そして、外壁内の内側断熱層５も外側断熱層２も、水蒸気（湿気）を放湿するため、湿潤による断熱機能低下は抑制出来て、経年耐用にも、設計値どおりの断熱機能を発揮する。
しかも、構造用面材４と内側断熱層５との間に介在する空気層ａは、密閉空気層となって、熱伝導率が０．０２０７kcal／ｍｈ℃の空気断熱層として断熱機能を発揮し、外側断熱層２の断熱作用、プラス、密閉空気層ａの断熱作用、プラス、内側断熱層５の断熱作用により、高断熱外壁を提供する。
【００１９】
また、本考案の外壁構造にあっては、内側断熱層５は、マット状に成形加工した無機質繊維系断熱材を、図３（Ｄ）に示す如く、透湿抵抗が大で四周に取付用突出部５Ｅを備えた後面フィルム５Ｂと、透湿抵抗が小の、前面フィルム５Ｆ及び側面フィルム５Ｓとで被覆し、密閉空気層ａは、上下左右を、外壁躯体ＳＷの、桁７Ｅ、土台７Ｃ、柱７Ａ、間柱７Ｂ等の構造材で閉止し、後面は内側断熱層５の前面フィルム５Ｆで、前面は構造用面材４の後面で密閉しているのが好ましい。
【００２０】
この場合、フィルムで被覆した内側断熱層５としては、後面のフィルム５Ｂが幅４０mmの取付用突出部５Ｅを備えた、慣用の、ニチアス（株）製のホームマット（商品名）を採用し、内側断熱層５の透湿性の調整は、設計透湿値となるように、前面フィルム５Ｆ及び後面フィルム５Ｓへの気孔ｈの散在によって実施すれば良い。
従って、密閉空気層ａは、外壁躯体ＳＷの構築によって、上下、左右が密閉区画出来、前面区画と後面区画とは、構造用面材４及び内側断熱層５の適正な配置固定で実施出来るため、密閉空気流ａの空気断熱層化は容易に実施出来、外壁躯体ＳＷ内での、内側断熱層５と密閉空気層ａとの２層形態の高断熱化及び水蒸気（湿気）の、内装材６→構造用面材４の放湿ルートの形成が簡単に実施出来る。
【００２１】
また、内側断熱層５は、図１に示す如く、外壁躯体ＳＷの土台７Ｃ及び桁７Ｅ上に延出した床用合板６Ｃで下端面を支承し、上側及び両側突出部５Ｅは、柱７Ａ、間柱７Ｂ、桁７Ｅの内表面に空密止着し、後面フィルム５Ｂの下側突出部５Ｅは、床用合板６Ｃ上で後方へ延出して床材６Ｂで挟着空密固定するのが好ましい。
この場合、内側断熱層５の、左右の取付用突出部５Ｅは、図４（Ｂ）の如く、柱７Ａ及び間柱７Ｂの内表面に当接して釘５Ｎで固定すれば良く、上側取付用突出部５Ｅは、図４（Ａ）の如く、桁７Ｅの内表面に釘５Ｎで固定すれば良い。
【００２２】
従って、剛性の大な床用合板（標準厚：２４mm）６Ｃは、土台７Ｃ、桁７Ｅ、及び梁７Ｆ上に載置して釘６Ｎでの固定となるため、釘６Ｎのサイズ、配置間隔を、標準長さ７５mmの釘６Ｎを、周縁を１００mm、中央を２００mm間隔のように、適正に選択すれば、床の剛性が高まって強度が３倍（標準）となり、外壁は、水平（床）及び垂直（壁）のダイヤフラム構造と成って、水平力は、床、壁で分散されて、基礎８や下階の耐力壁に伝達され、耐震構造となる。
その上、内側断熱層５の下側突出部５Ｅが床用合板６Ｃと床材６Ｂとで挟着され、内側断熱層５の非通気性の後面フィルム５Ｂが、全周の突出部５Ｅでの周辺支持体との密接止着となって、外壁躯体ＳＷの室内側面の気密性が確保出来、耐震性、断熱性に優れた外壁構造と出来る。
【００２３】
また、本考案の外壁構造にあっては、構造用面材４は、初期剛性及び最大荷重が大で、不燃性で、気密性及び遮音性に優れた硅酸カルシウム板であり、透湿防水シート３を、硅酸カルシウム板の構造用面材４の接続部を含む外面全体に張設するのが好ましい。
この場合、硅酸カルシウム板としては、三菱マテリアル建材（株）製のモイス（商品名）の厚さ９．５mm板を採用すれば、熱伝導率０．２０６kcal／ｍｋ、透湿抵抗５．２９ｍ２ｈmmＨｇ／ｇ、曲げ強度１３Ｎ／mm２であって、不燃材料で遮音性、耐腐蝕性、気密性に優れ、透湿抵抗が相対温度によって変化して結露がしにくく、壁倍率も高い（木造軸組み工法では２．７倍：枠組壁工法では４倍）ので好ましい。
【００２４】
尚、三菱マテリアル建材（株）製のモイス（商品名）は、和紙を漉くように製造したものであるため、小口（切り口）の吸水によって、層間剥離や凍結融解による破損を生ずる問題があり、雨水が接触する部位では適用不可物であり、従って、現状では、外装材としては不適で、壁倍率の大きい構造用内装面材として使用されているものであるが、本考案では、モイス（商品名）の外側に透湿防水シート３を全面被覆して防止措置を施し、且つ、外側に外側断熱層２を当接した外張り断熱構造としているため、モイス（商品名）は、耐水性の弱点を克服して凍結を阻止することが出来るようになり、外壁躯体ＳＷの外側での構造用面材としての適用を可能とした。
【００２５】
そして、硅酸カルシウム板（商品名：モイス）を外壁躯体ＳＷの外側に構造用面材として配置したために；
（イ）初期剛性、最大荷重、粘り強さが強く、耐震性を発揮する（在来木造軸組工法での壁倍率：２．７倍）。
（ロ）不燃材料であるため、防火構造、準耐火構造となる。
（ハ）透湿抵抗は、内部結露を生ずるような高い相対湿度の環境では、透湿抵抗が低くない結露が抑制出来る。
（ニ）気密性が高く、熱が逃げない。
（ホ）遮音性が高い（遮音性は石膏ボードの２倍）。
（ヘ）白蟻による食害も無く、カビも生えにくく、耐候性、耐蝕性に優れた高耐久な材料であるが、天然素材製であるため、ライフサイクル終了後のリサイクルも可能である；
等の、木造建物の外壁建材としての好ましい機能を発揮する。
【００２６】
そのため、本考案の外壁構造にあっては、外壁躯体ＳＷ内の筋違いを省略することも可能となり、筋違いを硅酸カルシウム外壁板と併用すれば、高耐力の耐力壁が構築出来る。
そして、外壁躯体ＳＷの内表面の内装材に、石膏ボード（不燃材）を採用し、内側断熱層５にロックウール（不燃材）を適用し、外壁躯体ＳＷの外側に硅酸カルシウム板（不燃材）を構造用面材として配置し、外側断熱層２として典型的な、自己消火性に優れた発泡プラスチック断熱板を採用することにより、外壁は防火構造、準耐火構造と出来る。
そして、冬季は、居室からの水蒸気が多くなると、構造用面材４→透湿防水シート３→外側断熱層２→外装材１、と水蒸気を屋外に排出し、夏季は、外側断熱層２、透湿防水シート３、構造用面材４の積層一体化層が屋外からの外壁躯体ＳＷ内への水蒸気の侵入を阻止し、結露を抑制した外壁を提供する。
【００２７】
また、本考案の外壁構造にあっては、外側断熱層２は、発泡プラスチック系断熱板であり、外側断熱層２の外表面には、水性アクリル系のポリマー樹脂モルタルのベースコート１ｂを塗布し、グラスファイバー製のメッシュ１ｃを配置して、メッシュ１ｃの外側に再度ベースコート１ｂを塗布し、ベースコート１ｂの表面に撥水製のフィニッシュコート１ａを塗布して透湿性外装材１を形成するのが好ましい。
この場合、発泡プラスチック系断熱板としては、透湿防水シート３を表面に備えた構造用面材より透湿性が大で、外装材１より透湿性が小であれば良く、典型的には、厚さ４０mm、透湿係数０．１４ｇ／ｍ２ｈmmＨｇ／ｇ以下の、ビーズ法ポリスチレン板である。
そして、外側断熱層２の配置は、図１（Ｂ）に示す如く、自重が水切具８Ｃを介して基礎立上り部８に伝達されるように配置するのが好ましい。
【００２８】
従って、外側断熱層２は、必要な熱伝導率（標準：０．０３７kcal／ｍｈ℃）を備えた保形性板材であるため、構造用面材４上への配置作業が容易であると共に、表面への外装材１の直接塗布形成が簡便に実施出来る。
そして、得られる外壁構造にあっては、断熱機能は設計値厚さ（標準：４０mm）で付与出来、且つ透湿性も保証の下に、外張り断熱透湿外壁の構築が簡便に実施出来る。
【考案の効果】
【００２９】
本考案の外張り断熱外壁構造は、外壁躯体ＳＷを構成する内表面の内装材６からの外壁躯体ＳＷの外側に積層配置する各構成材が、室内側から屋外側へと、透湿抵抗を大から小へと順次序列配置しているため、冬季は、水蒸気圧が室内から外壁外表面の仕上材へと透過して屋外に排出し、夏季は、水蒸気圧の大な屋外から室内への水蒸気の侵入を阻止し、外壁の表面結露も内部結露も抑制して、カビやダニの発生も無い、健康的な外壁構造となる。
【００３０】
また、断熱機能も、内側断熱層５と構造用面材４との間の空隙を、密閉空気層ａとして断熱空気層としたため、外壁は、外側断熱層２の断熱機能と、密閉空気層ａの断熱機能と、内側断熱層５の断熱機能との総和として断熱機能を具備したものとなり、高断熱外壁となって、従来の同厚の外壁より密閉空気層の断熱機能だけ、断熱性能が向上した断熱外壁となる。
また、構造用面材４を透湿防水シート３で保護する形態で配置するため、構造用面材４としては、小口からの吸水によって損傷するような材料の使用も可能となり、外壁の構築に際しての構造用面材の採用の自由度も向上する。
【図面の簡単な説明】
【００３１】
【図１】本考案の外壁構造の縦断面図であって、（Ａ）は全体略示図、（Ｂ）は（Ａ）の部分拡大図である。
【図２】本考案の外壁の説明図であって、（Ａ）は横断面図、（Ｂ）は斜視図である。
【図３】本考案の部分説明図であって、（Ａ）は外壁躯体の正面図、（Ｂ）は外壁の拡大横断面図、（Ｃ）は外壁の部分縦断面図、（Ｄ）は内側断熱層の斜視図である。
【図４】本考案の施工説明図であって、（Ａ）は部分縦断面図、（Ｂ）は部分横断面図、（Ｃ）は外側断熱層の取付状態図である。
【図５】従来例１の説明図であって、（Ａ）は横断面図、（Ｂ）は斜視図である。
【図６】従来例２の説明図であって、（Ａ）は横断面図、（Ｂ）は斜視図である。
【考案を実施するための形態】
【００３２】
〔木造躯体の構築（図１）〕
図１に示す如く、コンクリート基礎立上り部８の敷モルタル８Ｂ上の幅中央に、断面矩形状の木材の土台７Ｃを延展配置し、慣用の手段で、土台７Ｃを基礎立上り部８上に固定する。
そして、慣用の手段で、土台７Ｃ上に１階の柱７Ａを立設し、柱７Ａ上に桁７Ｅを配置し、桁７Ｅ上に２階の柱７Ａを立設し、２階の柱７Ａ上に桁７Ｅを配置し、次いで、上下の、土台７Ｃと桁７Ｅ間、桁７Ｅと桁７Ｅ間に、間柱７Ｂを配置し、並列する柱７Ａ間に、柱７Ａの前面の切込みを介して、筋違い７Ｓを、図３（Ａ）の如く、たすき掛けで配置して、２階建木造建物の外壁躯体ＳＷを形成する。
【００３３】
この場合、柱７Ａはｋ、一辺が１０５mmの断面正方形材を、間隔Ｌ２が１８２０mmで配置し、柱７Ａ間に、中心間寸法Ｌ１が４５５mmで、幅４５mm、厚さ（奥行き）１０５mmの間柱７Ｂを３本立設配置し、間柱７Ｂ間は４１０mm、柱７Ａと間柱７Ｂ間は３８０mmとなって、各柱７Ａ、間柱７Ｂ間の上下端は、桁７Ｅ、土台７Ｃが全幅を閉止する空間となり、筋違い７Ｓ後面に、間柱間には、幅４２５mm、厚さ５５mmの内側断熱層５を、柱７Ａと間柱７Ｂ間には、幅３９５mm、厚さ５５mmの内側断熱層５の配置が可能となる。
【００３４】
次いで、慣用の手法で、対面する柱７Ａ間に梁７Ｆを配置し、梁７Ｆ間に、直交する梁７Ｆ´、大引７Ｄを配置し、梁７Ｆに小屋束７Ｔを立設し、小屋束７Ｔ上に棟木、母屋７Ｊを、棟木、母屋７Ｊに小屋垂木７Ｋを配置して屋根躯体ＳＲを形成する。
そして、１階床では、土台７Ｃと大引７Ｄ間に床断熱材１０Ｂを、屋根躯体ＳＲでは、梁７Ｆ上に天井断熱材１０Ａを敷設し、１階床では、土台７Ｃと大引７Ｄ上に、２階床では桁７Ｅと梁７Ｆ，７Ｆ´上に厚さ２４mmの床用合板６Ｃを長さ７５mmの鉄製釘６Ｎを用いて、周縁部は１００mm間隔で、中央部は２００mm間隔で固定し、剛性の高い１階床及び２階床を形成する。
【００３５】
〔外側外壁Ｗｏの形成（図１、図２）〕
図１は本考案を適用した２階建木造住宅の説明図であって、（Ａ）は全体概略縦断面図、（Ｂ）は（Ａ）の部分拡大図である。
外側外壁Ｗｏの形成は、図１に示す如く、外壁躯体ＳＷの外側に、厚さ９．５mmの硅酸カルシウム板の構造用面材４（三菱マテリアル建材（株）製、モイス（商品名））を、長さ５０mmの鉄製釘４Ｎを用いて、周縁部は１００mm間隔、中央部は２００mm間隔で、土台７Ｃ下端から小屋垂木７Ｋの下端まで、柱７Ａ及び間柱７Ｂの前面に固定する。
この場合、構造用面材４の下端は、図１（Ｂ）に示す如く、基礎立上り部８上の敷モルタル８Ｂ表面とは隙間ａ３（標準：１０mm）を保ち、構造用面材４（モイス）の下端の小口の、敷モルタル８Ｂからの吸水を抑制しておく。
【００３６】
そして、構造用面材４の外側全面に、それ自体慣用の、例えば、ニチハ（株）製、ＪＦ２５００（商品名）の透湿防水シート３を張着し、透湿防水シート３の外側に、厚さ４０mmのビーズ法ポリスチレンフォーム板の外側断熱層２を、図４（Ｃ）に示す如く、プラスチック製ワッシャー２Ｗをねじ２Ｎで締着して、ワッシャー２Ｗを外側断熱層２に埋設形態で、柱７Ａ及び間柱７Ｂに取付ける。
【００３７】
この場合、構造用面材４の下端外側には、図１（Ｂ）に示す如く、慣用の水切具８Ｃを突出形態で配置し、基礎立上り部８の外側にモルタル８Ａ塗布仕上げし、外側断熱層２の下端を水切具８Ｃに載置形態とし、外側断熱層２の上部は、小屋垂木７Ｋ下面に当接し、外側断熱層２から突出する小屋垂木７Ｋ下側には、軒天野縁９Ｄを配置して軒天材９Ｅを張着し、小屋垂木７Ｋ先端には鼻隠し９Ｂ、淀９Ｃを配置し、小屋垂木７Ｋ上面には屋根用合板９Ａ及び屋根材９を配置する。
【００３８】
そして、水切具８Ｃ上面から軒天材９Ｅまでの外側断熱層２の外側に、アクリル系の透湿ベースコート１ｂを塗布し、メッシュ１ｃを埋設して更にベースコート１ｂを塗布して、塗厚３mmのベースコート１ｂ層を付与し、ベースコート１ｂの乾燥後に、撥水性の透湿フニッシュコート１ａを２mm厚塗布して、外側断熱層２の外面に、透湿性外装材１を直接塗布形成する。
従って、外側外壁Ｗｏは、外側断熱層２を水切具８Ｃ上に載置して柱７Ａ及び間柱７Ｂに釘固定したため、経年による垂れ下りが阻止出来、屋外からの雨水の浸入を防ぎながら室内Ｒの水蒸気を屋外に排出する、耐久性断熱透湿外壁となる。
【００３９】
〔外壁躯体内施工（図３、図４）〕
図３（Ａ）は外壁躯体ＳＷの正面図であり、図３（Ｂ）は外壁構造の横断面図、図３（Ｃ）は外壁構造の縦断面図、図３（Ｄ）は内側断熱層５の斜視図、図４（Ａ）は内側断熱層５の施工説明縦断面図、図４（Ｂ）は内側断熱層５の施工横断説明図である。
外壁躯体ＳＷ内施工は、柱７Ａ及び間柱７Ｂで構築された幅ＴＷ（標準：１０５mm）の外壁躯体ＳＷの幅内への内側断熱層５の充填と、内装材６による内側断熱層５の密閉保持であり、内側断熱層５は、図３（Ｄ）に示す如く、厚さが５５mm、長さが１３６０mmで、間柱７Ｂ間用には、幅４２５mm、柱７Ａと間柱７Ｂ間用には幅３９５mmの、マット状ロックウール５Ｒを、厚さ０．０２mmのポリエチレンフィルムで被覆したものである。
【００４０】
そして、内側断熱層５は、後面、即ち室内側から前面、即ち屋外側への一方向透湿性を付与するために、後面フィルム５Ｂは無孔であって、四周に取付用の突出部５Ｅを４０mm幅で延出したフィルムを、前面フィルム５Ｆ及び側面フィルム５Ｓには透湿用の気孔ｈを散在したものである。
また、内側断熱層５は、外側躯体ＳＷの上下の土台７Ｃ、桁７Ｅ間、及び左右の柱７Ａ、間柱７Ｂ間の空間の後半全面を気密閉止形態で充填するものであり、階高に応じて、長さ１３６０mm物を上下二段重ねで、適寸に切断継ぎ足し形態で実施する。
【００４１】
内側断熱層５の配置は、上下方向にあっては、図４（Ａ）に示す如く、上端を適寸に切落とした内側断熱層５の上に、上側断熱層５を継ぎ足して、上側断熱層５の下側突出部５Ｅを下側断熱層５の後面フィルム５Ｂ上に接着し、下側断熱層５の下側突出部５Ｅは、床用合板６Ｃ上に折曲延展して、床材６Ｂで挟着可能とし、上側断熱層５の上側突出部５Ｅは桁７Ｅの内表面に釘５Ｎで止着する。
また、左右方向にあっては、図４（Ｂ）に示す如く、後面フィルム５Ｂの両側突出部５Ｅは、柱７Ａ、間柱７Ｂの内表面に接着して、釘５Ｎで止着する。
【００４２】
そして、厚さ１２mm化粧フロアー合板の床材６Ｂを床用合板６Ｃ上に、内側断熱層５の下側突出部５Ｅを挟着した形態で、柱７Ａ、間柱７Ｂの内表面に当接して釘で固定し、次いで、木製の、慣用の幅木６Ａ及び厚さ１２．５mmの石膏ボードの内装材６を、柱７Ａ、間柱７Ｂの内表面に釘で張着する。
この場合、内装材６の上端縁は、内側断熱層５の突出部５Ｅを隠蔽して桁７Ｅに張着し、内装材６の釘打ちの間隔は、周縁が１００mm、中央が１５０mmとする。
【００４３】
従って、ポリエチレンフィルム突出部５Ｅは、内装材６、床材６Ｂと、柱７Ａ、間柱７Ｂ等に当接形態となるため、外壁躯体ＳＷ内の気密性は確保され、内側断熱層５の後面フィルム５Ｂは室内の水蒸気の外壁内への移動に対する防湿層となり、外壁躯体ＳＷ内は、外側の構造用面材４と内側断熱層５の後面フィルム５Ｂとで密閉されて、内側断熱層５の前面の筋違い７Ｓの存在する空間は密閉空気層ａとなる。
【００４４】
〔完成外壁（図１）〕
得られた外壁構造にあっては、外壁躯体ＳＷ内の空気層ａは、上下方向は土台７Ｃ及び桁７Ｅ面で密閉し、左右方向は柱７Ａ、間柱７Ｂ面で密閉し、前後方向は、前面では非通気性の構造用面材４及び透湿防水シート３で密閉し、後面では内側断熱層５の非通気性後面フィルム５Ｂ及び内装材６で密閉したため、空気層ａが断熱空気層の機能を奏し、外壁構造は、高気密、高断熱外壁となり、次世代省エネルギー基準（平成１１年告示）の一番厳しいＩ地区基準を上回る省エネルギー性外壁となった。
【００４５】
また、剛性に優る床構造と、壁倍率に優る壁構造との組合せとなり、あたかも、鉄筋コンクリート構造のダイヤフラム構造の如く、耐震性、耐風圧性に優れた木造壁構造となって、建物の倒壊及び損傷の無い、且つ不燃材の、構造用面材４及び内側断熱層５によって、防火性に優れた準耐火構造となった。
【００４６】
〔その他〕
本考案は、請求項１の考案の範囲内で、外側断熱層２として、不燃材のマット状ロックウールの採用も可能であり、この場合、ロックウールの外表面に金網を当接して、金網とロックウールとを一体として、金網の表面から、例えば先端に金網保持棒を備えた長尺釘の如き、押え片を備えた保持金具を柱７Ａ、間柱７Ｂの適所に打込んで構造用面材４の表面に確保し、金網表面に透湿性の外装材１を塗布形成すれば良い。
この場合、外壁構造は、耐火性となり、且つ断熱透湿外壁となる。
【符号の説明】
【００４７】
１      外装材
１ａ    フィニッシュコート
１ｂ    ベースコート
１ｃ    メッシュ
２      外側断熱層
２Ｎ    ねじ
２Ｗ    ワッシャー
３      透湿防水シート
４      構造用面材
４Ｎ，５Ｎ，６Ｎ    釘
５      内側断熱層
５Ｂ    後面フィルム
５Ｅ    取付用突出部（突出部）
５Ｆ    前面フィルム
５Ｒ    ロックウール
５Ｓ    側面フィルム
６      内装材
６Ａ    幅木
６Ｂ    床材
６Ｃ    床用合板
７Ａ    柱
７Ｂ    間柱
７Ｃ    土台
７Ｄ    大引
７Ｅ    桁
７Ｆ，７Ｆ´    梁
７Ｊ    母屋
７Ｋ    小屋垂木
７Ｍ    野縁
７Ｓ    筋違い
７Ｔ    小屋束
８      基礎立上り部
８Ａ    モルタル
８Ｂ    敷モルタル
８Ｃ    水切具
９      屋根材
９Ａ    屋根用合板
９Ｂ    鼻隠し
９Ｃ    淀
９Ｄ    軒天野縁
９Ｅ    軒天材
１０Ａ  天井断熱材
１０Ｂ  床断熱材
ａ      空気層（密閉空気層）
ｈ      気孔
Ｒ      室内
ＳＲ    屋根躯体
ＳＷ    外壁躯体
Ｗｏ    外側外壁
【図１】
0003166115.tif 000003
【図２】
0003166115.tif 000004
【図３】
0003166115.tif 000005
【図４】
0003166115.tif 000006
【図５】
0003166115.tif 000007
【図６】
0003166115.tif 000008